(57)【要約】【課題】ガラスウール材が硬くなりステップの脚部をホルダーにより固定し、ガラスウール材の劣化を軽減すると共に、ホルダーをコンクリート間に装着するだけでなく接着剤により固定し、外部からの水を防水し、コンクリート駆体からホルダーの抜けを防止するコンクリート躯体へのステップの取付方法及び装置を提供する。【解決手段】コンクリート躯体２に穿設した取付孔６にホルダー５を挿着し、該ホルダー内に、ステップの挿入部位に接着剤を保持させたステップの脚部４を挿入し、ステップをコンクリート躯体に取付けるに際して、ホルダー挿着時にホルダーの先端部でホルダーの抜け防止を施し、且つホルダー外周でホルダーへの外部からの水の侵入防止を施し、接着剤がガラスウール材のキャップ９に含浸され、ステップの脚部に形成した凹凸３とキャップの内面とを係止させてステップを接着剤によりホルダーに固定するコンクリート躯体へのステップの取付方法。【選択図】図２
2008019707.tif 000002
【特許請求の範囲】
【請求項１】
コンクリート躯体に穿設した取付孔にホルダーを挿着し、該ホルダー内に、ステップの挿入部位に接着剤を保持させたステップの脚部を挿入し、ステップをコンクリート躯体に取付ける方法において、ホルダー挿着時にホルダーの先端部でホルダーの抜け防止を施し、且つホルダー外周でホルダーへの外部からの水の侵入防止を施し、接着剤をガラスウール材のキャップに含浸させ、ステップの脚部に形成した凹凸と前記キャップの内面とを係止させてステップを接着剤によりホルダーに固定したことを特徴とするコンクリート躯体へのステップの取付方法。
【請求項２】
前記ホルダー先端部でのホルダー抜け防止がコンクリート躯体の外部の土壌に係止する係止部材で実施されることを特徴とする請求項１に記載のコンクリート躯体へのステップの取付方法。
【請求項３】
前記ホルダー外周でのホルダーへの水の侵入防止が、複数層の水膨張ゴムパッキンにより実施されることを特徴とする請求項１又は請求項２に記載のコンクリート躯体へのステップの取付方法。
【請求項４】
コンクリート躯体に穿設した取付孔にホルダーを挿着し、該ホルダー内に、ステップの挿入部位に接着剤を保持させたステップの脚部を挿入し、ステップをコンクリート躯体に取付ける装置において、ステップの挿入部位である脚部にネジ溝又は異形筋状の凹凸を形成し、前記ステップの挿入部位に被冠されるガラスウールキャップに接着剤を含浸させ、合成樹脂製のホルダーの先端部に抜け防止用の係止部材を形成し、且つ外周に複数のリング状の水膨張ゴムパッキンを巻回し、各ゴムパッキン間にそれぞれ複数の接着剤流出窓を形成し、該ホルダーの後端部にコンクリート躯体への係止部材を形成したことを特徴とするコンクリート躯体へのステップの取付装置。
【請求項５】
前記接着剤がエポキシ系２液を混合したものからなることを特徴とする請求項４に記載のコンクリート躯体へのステップの取付装置。
【請求項６】
ホルダーを前後に２分割体で構成し、後部側に自在フランジを取付け、該フランジをコンクリート躯体面に密着させるようにしたことを特徴とする請求項４又は請求項５に記載のコンクリート躯体へのステップの取付装置。
【発明の詳細な説明】
【技術分野】
【０００１】
本発明は、コンクリート躯体に穿設した取付孔内にホルダーを配置し、該ホルダー内にステップの挿入部位に接着剤を保持させたステップの脚部を挿入してコンクリート躯体への取付ける方法及び装置に関するものである。
【背景技術】
【０００２】
従来，合成樹脂でモールドしたコ字状ステップのコンクリート壁への装着端部に、夫々接着材を保有するキャップが被着され、該キャップと共に前記装着端部がコンクリート壁の対応する取付孔内に圧入されて接着固定するもので、キャップが金網円筒状の袋体で構成され、該キャップの入口側に外方に突出する複数の係止突片が形成されると共にこれら係止突片に隣接してステップとの合わせ溝が形成されたコンクリート壁へのステップを取付るものがあった（例えば特許文献１参照。）。
また、コンクリート躯体に穿設した取付孔内に有底筒状のホルダーを埋設し、該ホルダーの内部にカプセル型接着剤を装填してホルダーの開口部をキャップで蓋をする。そして、ステップの挿入端部にブレーカを形成し、前記キャップを突き破り、挿入端部をホルダーに押し込み、カプセル型接着剤を破砕して接着剤をホルダー内に流出させて固化させてステップを固定するものがある（例えば特許文献２参照。）。
【０００３】
【特許文献１】特開２００４−１５６３１５号公報
【特許文献２】特開２００５−１７１５７０号公報
【発明の開示】
【発明が解決しようとする課題】
【０００４】
ところで、前記従来の技術の特許文献１には、キャップが金網円筒状の袋体で構成されていたが、袋体が弾性に欠けているので、改良の余地があった。
また、特許文献２では、ホルダーがコンクリート躯体内に外周に凹凸を形成して埋め込まれているものであるが、防水や抜け防止には、改良の余地がある。
【０００５】
本発明は、従来の技術の有するこのような問題点に鑑みてなされたものであり、その目的とするところは、ガラスウール材の特性により接着剤等により固まることでガラスウール材が硬くなりステップの脚部をホルダーにより強固な固定をし、ガラスウール材が耐薬品性，耐熱性にも優れているのでガラスウール材の劣化を軽減すると共に、ホルダーをコンクリート間に装着するだけでなく接着剤により固定し、外部からの水の侵入を防止し、コンクリート駆体からホルダーの抜けを防止するコンクリート躯体へのステップの取付方法及び装置を提供しようとするものである。
【課題を解決するための手段】
【０００６】
上記目的を達成するために、本発明におけるコンクリート躯体へのステップの取付方法は、コンクリート躯体に穿設した取付孔にホルダーを挿着し、該ホルダー内に、ステップの挿入部位に接着剤を保持させたステップの脚部を挿入し、ステップをコンクリート躯体に取付ける方法において、ホルダー挿着時にホルダーの先端部でホルダーの抜け防止を施し、且つホルダー外周でホルダーへの外部からの水の侵入防止を施し、接着剤をガラスウール材のキャップに含浸させ、ステップの脚部に形成した凹凸と前記キャップの内面とを係止させてステップを接着剤によりホルダーに固定したものである。
【０００７】
また、前記ホルダー先端部でのホルダー抜け防止がコンクリート躯体の外部の土壌に係止する係止部材で実施されているものである。
【０００８】
また、前記ホルダー外周でのホルダーへの水の侵入防止が、複数層の水膨張ゴムパッキンにより実施されているものである。
【０００９】
また、本発明におけるコンクリート躯体へのステップの取付装置は、コンクリート躯体に穿設した取付孔にホルダーを挿着し、該ホルダー内に、ステップの挿入部位に接着剤を保持させたステップの脚部を挿入し、ステップをコンクリート躯体に取付ける装置において、ステップの挿入部位である脚部にネジ溝又は異形筋状の凹凸を形成し、前記ステップの挿入部位に被冠されるガラスウールキャップに接着剤を含浸させ、合成樹脂製のホルダーの先端部に抜け防止用の係止部材を形成し、且つ外周に複数のリング状の水膨張ゴムパッキンを巻回し、各ゴムパッキン間にそれぞれ複数の接着剤流出窓を形成し、該ホルダーの後端部にコンクリート躯体への係止部材を形成したものである。
【００１０】
また、前記接着剤がエポキシ系２液を混合したものからなるものである。
【００１１】
また、ホルダーを前後に２分割体で構成し、後部側に自在フランジを取付け、該フランジをコンクリート躯体面に密着させるようにしたものである。
【発明の効果】
【００１２】
コンクリート躯体に穿設した取付孔にホルダーを挿着し、該ホルダー内に、ステップの挿入部位に接着剤を保持させたステップの脚部を挿入し、ステップをコンクリート躯体に取付けるに際して、ホルダー挿着時にホルダーの先端部でホルダーの抜け防止を施し、且つホルダー外周でホルダーへの外部からの水の侵入防止を施し、接着剤をガラスウール材のキャップに含浸させ、ステップの脚部に形成した凹凸と前記キャップの内面とを係止させてステップを接着剤によりホルダーに固定したので、ガラスウール材の特性により接着剤等により固まることでガラスウール材が硬くなりステップの脚部をホルダーにより強固な固定をし、ガラスウール材が耐薬品性，耐熱性にも優れているのでガラスウール材の劣化を軽減させてステップのがたつきを防止するコンクリート躯体へのステップの取付方法及び装置となる。
【００１３】
また、前記ホルダー先端部でのホルダー抜け防止がコンクリート躯体の外部の土壌に係止する係止部材で実施され、ホルダー外周でのホルダーへの水の侵入防止が、複数層の水膨張ゴムパッキンにより実施されているので、コンクリート駆体からホルダーの抜けを防止し、外部からの水の侵入を防止するコンクリート躯体へのステップの取付方法及び装置となる。
【００１４】
コンクリート躯体に穿設した取付孔にホルダーを挿着し、該ホルダー内に、ステップの挿入部位に接着剤を保持させたステップの脚部を挿入し、ステップをコンクリート躯体に取付けるに際して、ステップの挿入部位である脚部にネジ溝又は異形筋状の凹凸を形成し、前記ステップの挿入部位に被冠されるガラスウールキャップに接着剤を含浸させ、合成樹脂製のホルダーの先端部に抜け防止用の係止部材を形成し、且つ外周に複数のリング状の水膨張ゴムパッキンを巻回し、各ゴムパッキン間にそれぞれ複数の接着剤流出窓を形成し、該ホルダーの後端部にコンクリート躯体への係止部材を形成したので、ガラスウール材のキャップに含浸された接着剤が滲み出してステップの脚部に形成した凹凸と前記ガラスウール材のキャップの内面及びガラスウール材のキャップの外面と前記ホルダーの内面が接着剤により固定され、さらに複数の接着剤流出窓からも接着剤が滲み出してホルダーの外周と取付孔内面も接着剤により固定され、ステップがより強固に接着剤によりコンクリート躯体に取り付けられる。また、係止部材によりコンクリート躯体の内面にホルダーが固定されると共にコンクリート躯体の内面からの水等の侵入を防止することができるコンクリート躯体へのステップの取付方法及び装置となる。
【００１５】
また、前記接着剤をエポキシ系２液を混合したものを使用したので、ステップの脚部に形成した凹凸とガラスウール材のキャップの内面，ガラスウール材のキャップの外面とホルダーの内面及びホルダーの外周と取付孔内面の接着がより優れたコンクリート躯体へのステップの取付方法及び装置となる。
【００１６】
また、ホルダーを前後に２分割体で構成し、後部側に自在フランジを取付け、該フランジをコンクリート躯体面に密着させるようにしたので、自在フランジが揺動可能となり、コンクリート躯体の内面の形状に合わせて自在フランジを密着させてよりホルダーが確実に固定されると共にコンクリート躯体の内面からの水等の侵入を防止することができ、ステップのがたつきを防止することができるコンクリート躯体へのステップの取付方法及び装置となる。
【発明を実施するための最良の形態】
【００１７】
コンクリート躯体に穿設した取付孔にホルダーを挿着し、該ホルダー内に、ステップの挿入部位に接着剤を保持させたステップの脚部を挿入し、ステップをコンクリート躯体に取付けるに際して、ホルダー挿着時にホルダーの先端部でホルダーの抜け防止を施し、且つホルダー外周でホルダーへの外部からの水の侵入防止を施し、接着剤をガラスウール材のキャップに含浸させ、ステップの脚部に形成した凹凸と前記キャップの内面とを係止させてステップを接着剤によりホルダーに固定することにより、ステップをコンクリート面に確実，強固に取り付けるコンクリート躯体へのステップの取付方法及び装置を実現した。
【実施例１】
【００１８】
図１ないし図３は本発明に係るコンクリート躯体へのステップの取付方法及び装置の一実施例に関するものであり、図１はコンクリート躯体へのステップの取付方法及び装置の説明図、図２はコンクリート躯体にステップの脚部を固定した断面平面図、図３はホルダーの正面図である。
【００１９】
上記図において、１はコンクリート躯体２に取り付けられるコ字状のステップ（全体は図示せず。）の側部であり、該側部１の先端側には凹凸３（例えば、ネジ溝又は異形筋状等の凹凸形状）が形成されたステップの挿入部位である脚部４が形成されている。
５はホルダーであり、該ホルダー５は前記コンクリート躯体２に穿設した取付孔６に挿着されている。
そして、該ホルダー５の挿着時にホルダー５の先端部に形成した抜け防止のための抜け防止体７でホルダー５のコンクリート躯体２からの抜けを防止するようになされている。
また、ホルダー５の外周には、ホルダー５への水の侵入防止のための水の侵入防止体８を設けて、ホルダー５への外部からの水の侵入を防止している。
【００２０】
９はガラスウール材のキャップであり、該ガラスウール材のキャップ９は袋状で前記脚部４に被冠させてから接着剤１０をガラスウール材のキャップ９に含浸させる。そして、脚部４を前記ホルダー５内に圧入することにより、含浸された接着剤１０が滲み出してステップの脚部４に形成した凹凸３と前記ガラスウール材のキャップ９の内面及びガラスウール材のキャップ９の外面と前記ホルダー５の内面が接着剤１０により固定され、ステップが接着剤１０により強固にコンクリート躯体２に取り付けられる。
【００２１】
このようなコンクリート躯体へのステップの取付方法及び装置によると、ガラスウール材の特性により接着剤１０により固まることでガラスウール材が硬くなりステップの脚部４をホルダー５により強固な固定をし、ガラスウール材が耐薬品性，耐熱性にも優れているのでガラスウール材の劣化を軽減させてステップのがたつきを防止することができると共に、ホルダー５をコンクリート駆体から抜けを防止し、ホルダー５を挿着する取付孔６内に外部からの水が侵入するのを防止することができる。
【００２２】
また、前記ホルダー５の先端部に形成した抜け防止体７をコンクリート躯体２の外部の土壌１１に係止する係止部材７で実施することも可能である。
この係止部材７により、ホルダー５はコンクリート駆体２からより抜けが困難にすることができるようになる。
【００２３】
また、前記ホルダー５の外周でのホルダー５への水の侵入防止体８を、複数層の水膨張ゴムパッキン８，８により実施することも可能である。
この複数層の水膨張ゴムパッキン８，８により、より外部からの水の侵入を防止することができるようになる。
【実施例２】
【００２４】
上述のコンクリート躯体へのステップの取付方法及び装置に、ホルダー５の外周に設けた各ゴムパッキン８，８間にそれぞれ複数の接着剤流出窓１２，１２，…を形成し、さらに該ホルダー５の後端部にコンクリート躯体２への係止部材１３を形成した装置も実施可能である。そして、接着剤流出窓１２，１２，…及び係止部材１３以外は実施例１と実質的に同一構成であるので同じ符号を付してその説明を省略する。
【００２５】
以上のような構成からなるコンクリート躯体へのステップの取付方法及び装置であって、ガラスウール材のキャップ９に含浸された接着剤１０が滲み出してステップの脚部４に形成した凹凸３と前記ガラスウール材のキャップ９の内面及びガラスウール材のキャップ９の外面と前記ホルダー５の内面が接着剤１０により固定され、さらに複数の接着剤流出窓１２，１２，…からも接着剤１０が滲み出してホルダー５の外周と取付孔６内面も接着剤１０により固定され、ステップがより強固に接着剤１０によりコンクリート躯体２に取り付けられる。また、係止部材１３によりコンクリート躯体２の内面にホルダー５が固定されると共にコンクリート躯体２の内面からの水等の侵入を防止することができる。
【００２６】
また、前記接着剤１０を粘性の高いエポキシ系２液を混合したものを使用することが有利である。
このようなエポキシ系２液を混合したものを用いると、ステップの脚部４に形成した凹凸３とガラスウール材のキャップ９の内面，ガラスウール材のキャップ９の外面とホルダー５の内面及びホルダー５の外周と取付孔６内面の接着がより優れたものになり、ステップがより強固に接着剤１０によりコンクリート躯体２に取り付けられる。
【実施例３】
【００２７】
図４ないし図６は本発明に係るコンクリート躯体へのステップの取付方法及び装置の他の実施例に関するものであり、図４はホルダーの正面図、図５は自在フランジの平面図、図６はコンクリート躯体にステップの脚部を固定した断面平面図である。
【００２８】
各図において、２５は前後に２分割体で構成されたホルダーであり、該ホルダー２５の前部側２５aの下部に凸状の突起２６を形成し、後部側２５ｂの上部に凹状の溝２７を形成して両部材２５a，２５ｂを接合させている。
【００２９】
２８，２８は、前記後部側２５ｂの外周から放射状に形成されたピンであり、該ピン２８，２８により押圧される自在フランジ２９がホルダー２５の後部側２５ｂに嵌挿されている。
また、図５に示すように、自在フランジ２９は前記後部側２５ｂに貫通する断面楕円形状の孔３０を形成すると共に前記ピン２８，２８を収容する凹溝３１，３１を前記孔３０から楕円の短軸方向に形成している。
そして、ホルダー２５及び自在フランジ２９以外は、図１から図３に示した実施例と実質的に同一構成であるので同じ符号を付してその説明を省略する。
【００３０】
このようなコンクリート躯体へのステップの取付方法及び装置によると、上述の効果があると共に、さらに自在フランジ２９が揺動可能となり、コンクリート躯体２の内面の形状に合わせて自在フランジ２９が密着されて、よりホルダー２５はコンクリート躯体２に確実に固定されると共にコンクリート躯体２の内面からの水等の侵入を防止することができ、ステップのがたつきを防止することができる。
【図面の簡単な説明】
【００３１】
【図１】本発明の一の実施例に係るコンクリート躯体へのステップの取付方法及び装置の説明図である。
【図２】コンクリート躯体にステップの脚部を固定した断面平面図である。
【図３】ホルダーの正面図である。
【図４】本発明の他の実施例に係るコンクリート躯体へのステップの取付装置のホルダーの正面図である。
【図５】自在フランジの平面図である。
【図６】コンクリート躯体にステップの脚部を固定した断面平面図である。
【符号の説明】
【００３２】
２ コンクリート躯体
３ 凹凸
４ 脚部
５ ホルダー
６ 取付孔
７ 抜け防止体（係止部材）
８ 水の侵入防止体（水膨張ゴムパッキン）
９ ガラスウール材のキャップ
１０ 接着剤
１１ 土壌
１２ 接着剤流出窓
１３ 係止部材
２５ ２分割体で構成されたホルダー
２９ 自在フランジ
【図１】
2008019707.tif 000003
【図２】
2008019707.tif 000004
【図３】
2008019707.tif 000005
【図４】
2008019707.tif 000006
【図５】
2008019707.tif 000007
【図６】
2008019707.tif 000008